(57)【要約】      （修正有）【課題】電気駆動弁によって吐水が制御される吐水装置において、電力の供給が受けられない場合にも、水を取り出すことができる吐水装置を提供する。【解決手段】装置本体２と、水源と電気駆動弁との間に接続される供給管１１とを備えた吐水装置１であり、装置本体２は、内部に電気駆動弁を有しており、この電気駆動弁によって吐出口５８からの吐水・止水が切り替えられ、供給管１１には、手動開閉弁８１と、手動開閉弁８１の下流側に配置された取水部８２とが設けられ、取水部８２は、手動開閉弁８１を開放することで水を取り出し可能に構成される。【選択図】図１
2015113651.tif 000002
【特許請求の範囲】
【請求項１】
内部に電気駆動弁を有しこの電気駆動弁によって吐出口からの給水・止水が切り替えられる装置本体と、
水源と前記電気駆動弁との間に接続される供給管と
を備えた吐水装置であって、
前記供給管には、手動開閉弁と、この手動開閉弁の下流側に配置された取水部とが設けられており、
前記取水部は、前記手動開閉弁を開放することで水を取り出し可能に構成されたものである
ことを特徴とする吐水装置。
【請求項２】
前記装置本体にはハンドシャワーが着脱自在に取り付けられており、
前記取水部には、前記ハンドシャワーが接続可能な接続部が設けられている
ことを特徴とする請求項１記載の吐水装置。
【請求項３】
前記装置本体には前記供給管を覆う配管カバーが着脱自在に取り付けられており、
前記取水部および前記手動開閉弁が、前記配管カバー内に配置されている
ことを特徴とする請求項１または請求項２に記載の吐水装置。
【発明の詳細な説明】
【技術分野】
【０００１】
本発明は、吐水装置に関する。
【背景技術】
【０００２】
特許文献１には、従来の吐水装置が開示されている。この特許文献１記載の吐水装置は、電磁弁を備えており、電磁弁により給水と給水停止とが切り替えられるように構成されている。
【先行技術文献】
【特許文献】
【０００３】
【特許文献１】実開平０２−５０４６１号公報
【発明の概要】
【発明が解決しようとする課題】
【０００４】
ところでこの種の吐水装置は、ユーザーによって吐水開始の操作がなされると、電気的に制御される弁（以下、電気駆動弁という）によって、止水状態から吐水状態へと切り替えられる。このため、従来の吐水装置では、停電時のように電力の供給が受けられないと、電気駆動弁を駆動させることができず、水を取り出すことができないという問題がある。
【０００５】
本発明は、上記事情に鑑みてなされたものであり、その目的とするところは、電気駆動弁によって吐水が制御される吐水装置において、電力の供給が受けられない場合にも、水を取り出すことができる吐水装置を提供することにある。
【課題を解決するための手段】
【０００６】
本発明の吐水装置は、内部に電気駆動弁を有しこの電気駆動弁によって吐出口からの吐水・止水が切り替えられる装置本体と、水源と前記電気駆動弁との間に接続される供給管とを備えた吐水装置であって、前記供給管には、手動開閉弁と、この手動開閉弁の下流側に配置された取水部とが設けられており、前記取水部は、前記手動開閉弁を開放することで水を取り出し可能に構成されたものであることを特徴とする。
【０００７】
またこの吐水装置において、前記装置本体にはハンドシャワーが着脱自在に取り付けられており、前記取水部には、前記ハンドシャワーが接続可能な接続部が設けられていることが好ましい。
【０００８】
またこの吐水装置において、前記装置本体には前記供給管を覆う配管カバーが着脱自在に取り付けられており、前記取水部および前記手動開閉弁が、前記配管カバー内に配置されていることが好ましい。
【発明の効果】
【０００９】
本発明の吐水装置によれば、電力の供給が受けられない場合にも、水を取り出すことができる。
【図面の簡単な説明】
【００１０】
【図１】本実施形態の吐水装置の斜視図である。
【図２】本実施形態の吐水装置の天面部を省略した平面図である。
【図３】本実施形態の取水装置周辺の斜視図である。
【図４】本実施形態の装置本体に配管カバーを取り付けた状態の斜視図である。
【図５】本実施形態の取水装置にハンドシャワーが取り付けられた状態の斜視図である。
【発明を実施するための形態】
【００１１】
以下、本発明の実施形態について添付図面に基づいて説明する。
【００１２】
本実施形態の吐水装置１は、浴室の壁面に取り付けられるシャワー付きの湯水混合栓である。吐水装置１は、図１に示すように、前面に操作部６が設けられている。操作部６は、ハンドルによって回動操作されるものではなく、タクタイルスイッチによって押圧操作されるものである。この操作部６は、後述の収納ケース内に収納された制御部４に電気的に接続されている。
【００１３】
この吐水装置１は、装置本体２と、配管カバー１４と、供給管１１と、取水装置８とを備えている。なお、供給管１１は、給湯器（図示せず）に連通する給湯管１３と、水道管に連通する給水管１２とを含む。
【００１４】
装置本体２は、供給管１１から供給された湯および冷水を混合し、設定された温度の湯水を吐出口５８から吐出する（以下、この吐出口５８から吐出される湯水を吐水という）。装置本体２は、図２に示すように、制御部４と、この制御部４に制御される吐水機構部３と、この制御部４および吐水機構部３を収容する外郭部５とを備えている。
【００１５】
吐水機構部３は、吐水の温度や流量を変化させる機能を有する。吐水機構部３には供給管１１が接続されており、吐水機構部３の下流側には吐出口５８が接続されている。吐水機構部３は、制御部４に電気的に接続されている。吐水機構部３は、制御部４から供給された電力によって駆動する。また、吐水機構部３は、吐水の温度と流量とを、制御部４からの信号に基づいて変化させる。吐水機構部３は、湯水混合弁３１、電気駆動弁３２、流路切替弁３３、流量センサー３４を備えている。
【００１６】
湯水混合弁３１には、供給管１１が接続される。つまり、湯水混合弁３１には、給湯管１３および給水管１２が接続される。湯水混合弁３１は、流入した湯と冷水との混合割合を変えて、制御部４により指示された温度（設定温度）の吐水を生成する。
【００１７】
電気駆動弁３２は、湯水混合弁３１によって生成された吐水の給水と止水とを切り替え、また、吐水の流量を変更する。この電気駆動弁３２は、制御部４から電力の供給を受けて駆動する開閉弁であり、本実施形態においては、電動弁（電動モータによって開閉駆動する）によって構成されている。電気駆動弁３２は、制御部４に電気的に接続されており、制御部４によって制御される。制御部４は、流量センサー３４から入力された流量値に基づいて、電気駆動弁３２の駆動制御を行う。
【００１８】
なお、本実施形態の電気駆動弁３２は電動弁によって構成されていたが、電磁弁によって構成されてもよい。電気駆動弁３２として電磁弁が用いられる場合、流量調整を行うために流量調整弁を追加して設けてもよい。
【００１９】
流路切替弁３３は、シャワー吐水にするか、カラン吐水にするかを切り替えるための弁である。流路切替弁３３は、制御部４に電気的に接続されており、制御部４によってシャワー吐水とカラン吐水との切り替えが制御される。なお、図中の符号３５は、ハンドシャワーに連通する配管であり、符号３６は、カラン用の吐出口５８に連通する配管である。
【００２０】
このような構成の吐水機構部３は、流量センサー３４・湯水混合弁３１・電気駆動弁３２・流路切替弁３３の順に、上流側から配管を介して接続されている。また、本実施形態の吐水機構部３には、電気駆動弁３２と流路切替弁３３との間にバッファタンク３７が設けられている。各部品を接続する配管は、例えば、銅管であってもよいし、フレキシブル配管であってもよい。また、流量センサー３４の位置は、本実施形態の位置に限定されない。
【００２１】
制御部４は、操作部６に電気的に接続される。制御部４は、操作部６からの信号が入力されると、吐水機構部３に制御信号を出力し、これにより吐水機構部３を制御する。制御部４は、例えば、制御基板に実装されたマイクロプロセッサを主構成要素とする。
【００２２】
外郭部５は、吐水機構部３と制御部４とを内部に収容する。外郭部５は、図１に示すように、天面部５１，前面部５２，底面部５３、側面部５６，背面部５７を備え、箱形状に形成される。なお、底面部５３は、上底面５４と下底面５５とに段状に形成されている。上底面５４には、吐出口５８が設けられている。下底面５５には、供給管１１が挿通される挿通孔５９が設けられている。
【００２３】
前面部５２には、操作部６が設けられている。操作部６は、収納ケースの前面部５２に沿って配置される。操作部６は、表示部６１と、押しボタン６２とを備えている。表示部６１は、液晶パネルによって構成されており、制御部４によって表示が制御される。押しボタン６２は、上述のように、タクタイルスイッチによって構成されている。押しボタン６２は、押圧操作されると、制御部４に信号を出力するように構成されている。
【００２４】
また、外郭部５には、ハンドシャワー７を取り付けるためのシャワー接続部２１が設けられている。シャワー接続部２１は、流路切替弁３３に連通接続されている。シャワー接続部２１は、流路切替弁３３によってカラン吐水に切り替えられると、電気駆動弁３２を流通した吐水が流通するように構成される。
【００２５】
ハンドシャワー７は、シャワー接続部２１に着脱自在に取り付けられる。ハンドシャワー７は、ホース７２と、シャワーヘッド７１とを備えている。シャワーヘッド７１は、ホース７２の下流側の端部に取り付けられている。ホース７２の上流側の端部には、シャワー接続部２１に着脱自在に接続される被接続部７３が設けられている。
【００２６】
このような構成の装置本体２には、供給管１１が接続されている。供給管１１は、水源（本実施形態では、水道管または給湯器）と吐水機構部３との間に連通接続されている。言い換えると、供給管１１は、水源と電気駆動弁３２との間に接続されている。
【００２７】
この供給管１１には、図３に示すように、取水装置８が取り付けられている。取水装置８は、電気駆動弁３２が停電や故障等で駆動不能となった場合に、供給管１１から水を取り出すためのものである。この取水装置８は、手動開閉弁８１と、取水部８２と、逆止弁８６とを備えている。
【００２８】
手動開閉弁８１は、ユーザーが手動操作することで、供給管１１の流路を開閉できる弁である。手動開閉弁８１の操作部は、ハンドルが設けられておらず、所定の工具（本実施形態では、マイナスドライバー）を用いることで操作可能に構成されている。
【００２９】
取水部８２は、手動開閉弁８１の下流側に配置されている。取水部８２は、吐出部８３と、この吐出部８３を閉塞するキャップ８４とを備えている。吐出部８３は、供給管１１に連通している。キャップ８４は、吐出部８３に着脱自在となっている。キャップ８４は、吐水装置１の通常使用時には、吐出部８３に取り付けられ、吐出部８３からの水の流出を阻止する。
【００３０】
吐出部８３には接続部８５が設けられている。接続部８５は、吐出部８３の先端に形成されている。接続部８５は、ハンドシャワー７の被接続部７３が接続できるように構成されている。なお、本実施形態の接続部８５は、吐出部８３の外周面に雄ねじが設けられることで構成されている。
【００３１】
逆止弁８６は、水源から装置本体２に向かう方向への水の流通を許容し、その反対側の水の流通を規制する。逆止弁８６は、電気駆動弁３２によって供給管１１を流通する水を止めた場合に、装置本体２側から供給管１１側に向かって水が流出するのを防ぐ。
【００３２】
本実施形態の取水装置８は、給水管１２に取り付けられており、給湯管１３には取り付けられていない。しかしながら、取水装置８は、給水管１２と給湯管１３との両方に取り付けられてもよい。なお、本実施形態の吐水装置１においては、逆止弁８６と手動開閉弁８１のみ給湯管１３に取り付けられている。
【００３３】
配管カバー１４は、図４に示すように、装置本体２の下端部に着脱自在に取り付けられる。配管カバー１４は、浴室の壁内から浴室内に向かって配管された供給管１１を覆う。また、配管カバー１４内には、取水装置８が収納配置される。配管カバー１４は、ケーシングに取り付けられると、配管カバー１４の前面がケーシングの前面に面一となり、配管カバー１４の側面がケーシングの側面と面一となる。
【００３４】
停電等のように電気駆動弁３２に電力の供給ができない場合、電気駆動弁３２を駆動させることができず、吐出口５８からの給水を行うことができない。このとき、ユーザーは、例えば、次のようにすれば、供給管１１から水を取り出すことができる。
【００３５】
ユーザーは、配管カバー１４を装置本体２から取り外し、手動開閉弁８１を操作することによって供給管１１内の水の流通を停止させる。次いで、ユーザーは、工具（例えば、スパナ）を用いて、吐出部８３からキャップ８４を取り外す。この後、ユーザーは、ハンドシャワー７を使用したい場合には、図５に示すように、接続部８５にハンドシャワー７の被接続部７３を取り付ける。
【００３６】
この状態で、ユーザーは、手動開閉弁８１を開放させる。これによりユーザーは、供給管１１から水を取り出すことができる。なお、吐出部８３からの水の吐出を止水したい場合には、手動開閉弁８１を操作して止水させればよい。
【００３７】
以上説明したように、本実施形態の吐水装置１は、装置本体２と、供給管１１とを備えている。装置本体２は、内部に電気駆動弁３２を有しており、この電気駆動弁３２によって吐出口５８からの給水・止水が切り替えられる。供給管１１は、水源と電気駆動弁３２との間に接続される。供給管１１には、手動開閉弁８１と、この手動開閉弁８１の下流側に配置された取水部８２とが設けられている。取水部８２は、手動開閉弁８１を開放することで水を取り出し可能に構成されている。
【００３８】
このため、本実施形態の吐水装置１によれば、電気駆動弁３２が停電等で駆動不能となった場合であっても、ユーザーは、手動開閉弁８１を手動操作することで、取水部８２から水を取り出すことができる。
【００３９】
また、本実施形態の吐水装置１は、装置本体２にはハンドシャワー７が着脱自在に取り付けられている。取水部８２には、ハンドシャワー７が接続可能な接続部８５が設けられている。
【００４０】
このため、本実施形態の吐水装置１によれば、仮に電力の供給が受けられない状況において、ユーザーがハンドシャワー７を使用したい場合であっても、ハンドシャワー７を接続部８５に付け替えるだけで、ハンドシャワー７を使用することができる。吐水装置１に取り付けられたハンドシャワーは、例えば浴槽に貯水する等、多目的に利用できる。
【００４１】
また、本実施形態の吐水装置１は、装置本体２には供給管１１を覆う配管カバー１４が着脱自在に取り付けられている。そして、取水部８２および手動開閉弁８１が、配管カバー１４内に配置されている。
【００４２】
このため、本実施形態の吐水装置１は、通常使用時に、手動開閉弁８１や取水部８２を誤って操作してしまうのを防ぐことができる。また、手動開閉弁８１や取水部８２が外観に露出しないので、外観が損なわれるのを防ぐことができる。
【符号の説明】
【００４３】
１      吐水装置
１１    供給管
１２    給水管
１３    給湯管
１４    配管カバー
２      装置本体
２１    シャワー接続部
３      吐水機構部
３２    電気駆動弁
４      制御部
５      外郭部
６      操作部
６１    表示部
６２    押しボタン
７      ハンドシャワー
７１    シャワーヘッド
７２    ホース
７３    被接続部
８      取水装置
８１    手動開閉弁
８２    取水部
８３    吐出部
８４    キャップ
８５    接続部
８６    逆止弁
【図１】
2015113651.tif 000003
【図２】
2015113651.tif 000004
【図３】
2015113651.tif 000005
【図４】
2015113651.tif 000006
【図５】
2015113651.tif 000007